(57)【要約】【課題】浴室壁面に設置された電子機器等に温水ミストが直接吹き付けられることのない構造を備えたミスト発生装置を提供する．【解決手段】正面に複数のミスト噴霧ノズルを有するミストユニット２の上下両端に、該ミストユニット２を回転自在に支持しつつ浴室壁面に取り付けるための取付具３を装着する。そして、ミストユニット２の端面に、該ミストユニット２と供廻りするストッパーピン１１０を設けるとともに、取付具３側にストッパーピン１１０の回転を規制する回転規制部を設けてミストユニットの回転範囲を制限する。【選択図】  図４
2007225185.tif 000002
【特許請求の範囲】
【請求項１】
正面に複数のミスト噴霧ノズルを有するミストユニットを備えたミスト発生装置であって、前記ミストユニットの上下両端又は上下いずれか一端に、該ミストユニットを回転自在に支持しつつ壁面に取り付けるための取付具が装着されたものにおいて、
前記ミストユニットと取付具との装着部に、前記ミストユニットの回転範囲を規制する回転範囲規制手段が設けられていることを特徴とするミスト発生装置。
【請求項２】
前記回転範囲規制手段は、前記ミストユニットと供廻りする突起部と、この突起部と当接することにより前記ミストユニットの回転を規制する回転規制部とからなることを特徴とする請求項１に記載のミスト発生装置。
【請求項３】
前記突起部は、前記ミストユニットに着脱可能に装着され、該突起部の装着位置を変えることによって前記ミストユニットの回転範囲が設定変更可能とされていることを特徴とする請求項２に記載のミスト発生装置。
【請求項４】
前記突起部は、前記ミストユニットとは別体のねじ状の部材で構成され、前記ミストユニットに、該ミストユニットの回転軸と同心上に前記ねじ状の部材を装着するためのねじ穴が複数形成され、前記ねじ状の部材の装着位置を変えることでミストユニットの回転範囲が設定変更可能とされていることを特徴とする請求項３に記載のミスト発生装置。
【請求項５】
前記ミストユニットが、直列に配置された複数の可動ユニットで構成され、該可動ユニット同士が相対回転可能に連結されていることを特徴とする請求項１から４のいずれかに記載のミスト発生装置。
【請求項６】
前記可動ユニット同士の連結部には隣接する可動ユニット同士を電気的に接続するための電装線が挿通されていることを特徴とする請求項５に記載のミスト発生装置。
【請求項７】
前記可動ユニット同士の連結部に該可動ユニット同士の相対回転を禁止する回転禁止手段が取り外し可能に装着されていることを特長とする請求項５または６に記載のミスト発生装置。
【発明の詳細な説明】
【技術分野】
【０００１】
この発明は、ミスト発生装置に関し、より詳細には、浴室の壁面に設置され、浴室内に湯水のミストを噴霧するミスト発生装置に関する。
【背景技術】
【０００２】
近時、浴室暖房の一環として温水ミストを発生させるミスト発生装置が提案されている。この種のミスト発生装置としては、浴室の壁面や天井に埋め込むタイプのもののほか、取付具を用いて浴室壁面に取り付ける、いわゆる後付けタイプのミスト発生装置も提案されている。
【０００３】
特許文献１は、このような後付けタイプのミスト発生装置の一例を示している。特許文献１に示すように、この種のミスト発生装置は、縦方向に複数の噴霧ノズルを有するミストユニットを主要部として備え、該ミストユニットを浴室の内壁面に沿わせてほぼ垂直に、かつ、左右（水平）に回転自在に取り付けてなるもので、ユーザはミストユニットを左右に回転させることでミストの噴霧方向を自由に調節できるように構成されている。
【０００４】
【特許文献１】特開平９−２５３１５３号公報
【発明の開示】
【発明が解決しようとする課題】
【０００５】
しかしながら、このようにミストユニットを左右に自由回転可能に取り付ける構成では、以下のような問題があった。
【０００６】
すなわち、浴室の内壁面には給湯器のリモコンや浴室テレビのような電子機器が設置されることがあるところ、上記ミストユニットａがこれら電子機器ｂの近傍に設置され、その状態でミストユニットが横向きにほぼ９０度回転されると、噴霧ノズルから噴射される温水ミストが、図７に示すように、至近距離から電子機器ｂに吹き付けられることとなり、電子機器ｂの電子部品（たとえば、表示部の液晶や内蔵されるマイコン）を破損するおそれがあった。
【０００７】
本発明は、このような問題点に鑑みてなされたものであり、その目的とするところは、浴室壁面に設置された電子機器等に温水ミストが直接吹き付けられることのない構造を備えたミスト発生装置を提供することにある。
【課題を解決するための手段】
【０００８】
上記目的を達成するため、本発明の請求項１に係るミスト発生装置は、正面に複数のミスト噴霧ノズルを有するミストユニットを備えたミスト発生装置であって、上記ミストユニットの上下両端又は上下いずれか一端に、該ミストユニットを回転自在に支持しつつ壁面に取り付けるための取付具が装着されたものにおいて、上記ミストユニットと取付具との装着部に、上記ミストユニットの回転範囲を規制する回転範囲規制手段が設けられていることを特徴とする。
【０００９】
そして、本発明の請求項２に係る発明は、請求項１に記載のミスト発生装置において、上記回転範囲規制手段は、上記ミストユニットと供廻りする突起部と、この突起部と当接することにより上記ミストユニットの回転を規制する回転規制部とからなることを特徴とする。
【００１０】
また、本発明の請求項３に係る発明は、請求項２に記載のミスト発生装置において、上記突起部は、上記ミストユニットに着脱可能に装着され、該突起部の装着位置を変えることによって上記ミストユニットの回転範囲が設定変更可能とされていることを特徴とする。
【００１１】
そして、その好適な実施態様として、請求項４に係る発明は、請求項３に記載のミスト発生装置において、上記突起部は、上記ミストユニットとは別体のねじ状の部材で構成され、上記ミストユニットに、該ミストユニットの回転軸と同心上に上記ねじ状の部材を装着するためのねじ穴が複数形成され、上記ねじ状の部材の装着位置を変えることでミストユニットの回転範囲が設定変更可能とされていることを特徴とする。
【００１２】
さらに、本発明の請求項５に係る発明は、請求項１から４のいずれかに記載のミスト発生装置において、上記ミストユニットが、直列に配置された複数の可動ユニットで構成され、該可動ユニット同士が相対回転可能に連結されていることを特徴とする。
【００１３】
そして、その好適な実施態様として、請求項６に係る発明は、請求項５に記載のミスト発生装置において、上記可動ユニット同士の連結部には隣接する可動ユニット同士を電気的に接続するための電装線が挿通されていることを特徴とする。
【００１４】
そして、本発明の請求項７に係る発明は、請求項５または６に記載のミスト発生装置において、上記可動ユニット同士の連結部に該可動ユニット同士の相対回転を禁止する回転禁止手段が取り外し可能に装着されていることを特長とする。
【発明の効果】
【００１５】
本発明のミスト発生装置によれば、ミストユニットを浴室の壁面に取り付ける取付具とミストユニットとの装着部に、上記ミストユニットの回転範囲を規制する回転範囲規制手段が設けられていることから、この回転範囲規制手段によりミストユニットの回転範囲を制限することによって、ミストユニットから噴霧されるミストが浴室壁面の電子機器に直接吹き付けられるのを防止することができ、電子機器等の破損を未然に防止することができる。
【００１６】
また、上記回転範囲規制手段を、上記ミストユニットと供廻りする突起部と、この突起部と当接することにより上記ミストユニットの回転を規制する回転規制部とで構成することにより、簡単な構造でミストユニットの回転規制を実現できる。そのため、ミスト発生装置全体の製造コストの大幅な上昇を伴うことなく、安価に回転規制機能を付与することができる。
【００１７】
さらに、上記突起部を上記ミストユニットに着脱可能とし、該突起部の装着位置を変えることによって上記ミストユニットの回転範囲を設定変更可能とすることで、施工現場でミストユニットの回転範囲を任意に設定できるようになり、浴室の状況に合わせた施工が可能となる。また、上記突起部を上記ミストユニットとは別体のねじ状の部材で構成し、ミストユニットに、該ミストユニットの回転軸と同心上に上記ねじ状の部材を装着するためのねじ穴を複数形成しておくことにより、上記ねじ状の部材の装着位置を変えることでミストユニットの回転範囲を容易に設定変更できるようになり、施工現場で回転範囲の調節を容易に行うことができるようになる。
【００１８】
また、上記ミストユニットを、直列に配置された複数の可動ユニットで構成し、該可動ユニット同士が相対回転可能に連結することにより、たとえばミストユニットの上部と下部とでミストの噴霧方向を変えることができ、ユーザの好みに合わせたミスト噴霧が可能になる。
【００１９】
そして、この場合、隣接する可動ユニット同士を電気的に接続する電装線を可動ユニット同士の連結部内に挿通しておくことにより、電装線が外部に露出せず、外観上優れた意匠のミスト発生装置を提供できる。
【００２０】
そしてさらに、上記可動ユニット同士の連結部に該可動ユニット同士の相対回転を禁止する回転禁止手段を取り外し可能に装着しておくことにより、施工前に可動ユニット同士が自由回転するのを防止でき、ユニット内部の電気配線等がねじ切れるのを防止することができる。
【発明を実施するための最良の形態】
【００２１】
以下、本発明の一実施形態を図面に基づいて詳細に説明する。図１は本発明に係るミスト発生装置の外観を示す斜視図であり、図２は同ミスト発生装置の内部構造の概要を示す説明図である。
【００２２】
本発明に係るミスト発生装置１は、浴室の内壁面に取り付ける後付けタイプのミスト発生装置であって、図に示すように、温水ミストを発生させるミストユニット２と、該ミストユニット２を浴室の内壁面Ｗ（図２参照）に取り付けるための取付具３とを主要部として構成される。
【００２３】
ミストユニット２は、操作部４と複数のミスト噴射ノズル５とを正面に備えた略筒状のケース２１内に、外部から供給される温水を上記ミスト噴射ノズル５に導くためのノズル配管６と、該ノズル配管６への通水を遮断可能に構成された電磁弁７と、該電磁弁７の開閉を制御する制御部８と、図示しない電源部とを備えて構成されている。
【００２４】
ここで、本実施形態に示すミストユニット２は、上記ケース２１が、上部ケース（上部の可動ユニット）２１ａと下部ケース（下部の可動ユニット）２１ｂとに分割構成されており、これら各ケース２１ａ，２１ｂが連結部９を介して直列に連結されている。
【００２５】
上記連結部９は、上記上部ケース２１ａと下部ケース２１ｂとを同軸上で相対回転可能に連結する部材であって、この連結部９を介して上部ケース２１ａと下部ケース２１ｂとが連結されることにより、ケース２１ａ，２１ｂ同士の向きをずらすことが可能とされ、それに伴って、上部ケース２１ａに設けられたミスト噴射ノズル５と下部ケース２１ｂに設けられたミスト噴射ノズル５のミスト噴射方向を異ならせることが可能とされている。
【００２６】
また、この連結部９は中空の部材で構成されており、その空洞部に上記ノズル配管６と、上記制御部８と電磁弁７とを接続する電装線（図示せず）とが挿通されている（図２参照）。
【００２７】
より詳細には、本実施形態に示すミストユニット２では、上部ケース２１ａのケース正面上部に上記操作部４が設けられるとともに、正面下部に上下二段に分けて（より具体的には、上段に１個、下段に左右２個の）ミスト噴射ノズル５が設けられている。そして、この上部ケース２１ａの内部には上記制御部８と電源部とが設けられている。
【００２８】
一方、下部ケース２１ｂの正面には上中下の三段に分けて（より具体的には、上段に１個、中段および下段にはそれぞれ左右２個の）ミスト噴射ノズル５が設けられている。そして、下部ケース２１ｂの内部、具体的には上記ノズル配管６の上流側端部（下部ケース２１ｂの下端付近）に上記電磁弁７が設けられている。
【００２９】
ここで、上記操作部４には、ミスト運転の開始／停止を切り替える運転スイッチ４１と、ミスト発生装置１の状態を示す表示ランプ４２，４３とが設けられている。具体的には、上記運転スイッチ４１は、上記制御部８と電気的に接続されており、該運転スイッチ４１を操作することで、上記制御部８を介して上記電磁弁７の開閉操作が可能とされている。また、上記表示ランプ４２，４３は、上記制御部８と電気的に接続された発光ダイオードで構成され、ランプの点滅によってミスト発生装置１の運転／停止の状態やバッテリーの残量等を表示するように構成されている。
【００３０】
ミスト噴射ノズル５は、ノズル配管６を通じて供給される湯水を霧状に噴射するノズルであって、本実施形態では、図１に示すように、上部ケース２１ａおよび下部ケース２１ｂのそれぞれ上段に設けられたミスト噴射ノズル５にはミストの噴射方向を上下に手動調節可能な可動式のノズルが採用され、他のミスト噴射ノズル５についてはミストの噴射方向が固定された固定式のノズルが採用されている。
【００３１】
ノズル配管６は、ケース２１の下端（換言すれば、下部ケース２１ｂの下端）に外部との接続口６１を有するとともに、この接続口６１から供給される湯水を、上記電磁弁７を介して上記各ミスト噴霧ノズル５に供給するための配管であって、本実施形態では、このノズル配管６１として銅製の配管が用いられる。具体的には、本実施形態では、上述したように、上部ケース２１ａと下部ケース２１ｂとが相対回転可能に構成されているので、これに伴って、ノズル配管６１は、上部ケース２１ａ側と下部ケース２１ｂ側とが別配管で構成され、これら両配管が上記連結部９のところで相対回転可能に接続される。
【００３２】
電磁弁７は、上記接続口６１からノズル配管６を通じて流入する湯水を遮断可能に構成された弁装置であって、上記制御部８からの制御信号によって開弁／閉弁の切替が可能とされている。
【００３３】
制御部８は、上記電磁弁７の制御プログラムや操作部４の表示制御プログラムなどを記憶したマイコンを備えた制御装置である。また、電源部は、上記制御部８や表示部４の表示ランプ４２，４３等に電力を供給するものであって、この電源部としては乾電池が好適に用いられる。
【００３４】
上記取付具３は、上述したように、上記ミストユニット２を浴室の内壁面Ｗに取り付けると同時に、ミストユニット２を回転自在に支持する部材であって、上記ミストユニット２の上下両端に取り付けられる。
【００３５】
具体的には、この取付具３はミストユニット２を回転自在に支持するための水平部３１と、ミストユニット２を浴室の内壁面Ｗに取り付けるための垂直部３２とを有してなり（図２参照）、上下一組の取付具３の各水平部３１でミストユニット２を回転自在に支持するとともに、上下各取付具３の垂直部３２をそれぞれ浴室の内壁面Ｗにねじ止め固定することによりミストユニット２を浴室の内壁面Ｗに取り付ける。
【００３６】
そして、本発明のミスト発生装置１では、このミストユニット２と取付具３との装着部分に、ミストユニット２の回転操作時に操作者にクリック感を与えるとともにミストユニット２を回転操作位置に保持する位置決め手段と、ミストユニット２の回転範囲を規制する回転範囲規制手段が設けられている。
【００３７】
そこで、次にこれらの構造について、図３乃至図５に基づいて説明する。ここで、図３は、ミストユニット２への取付具３の装着構造を示す分解斜視図であり、図４は、取付具３をミストユニット２に装着した状態を示す斜視図である。また、図５は、取付具３の装着後に当該装着部分を化粧カバー３０で覆った状態を示している。
【００３８】
なお、図３および図４はいずれもミストユニット２の上端面（上部ケース２１ａ側）における取付具３の装着構造を示しているが、取付具３のミストユニット２への装着は、ミストユニット２の下端面（下部ケース２１ｂ側）もほぼ同様であるので、両者に共通する部分は説明を省略する。
【００３９】
ここで、取付具３のミストユニット２への装着手順は概ね以下の通りである。すなわち、まず始めにミストユニット２の端面の所定位置に取付具３を当接する。そして、その上から所定形状の装着具１０を装着し、この装着具１０と上記取付具３とをねじ１００でねじ止め固定することにより取付具３をミストユニット２に装着する。
【００４０】
そこで、このような装着手順を実現するため、ミストユニット２、取付具３および装着具１０が備える構造について説明する。
【００４１】
まず、ミストユニット２は、上部ケース２１ａの上端面の中央に、円環状のボス部２２が突出形成されており、このボス部２２の外周面の上部には、後述する係合爪３６と係合可能な凹状の溝が軸方向に所定間隔で全周にわたって形成された凹凸部２３が設けられている。
【００４２】
一方、上記取付具３の水平部３１には、上記ボス部２２と嵌合する略Ｕ字状の切欠き部３３が形成されている。ここで、この切欠き部３３によって水平部３１に形成される半円弧状の切欠内周面の内径は、上記ボス部２２の外径より僅かに大きく設定されている。そして、この切欠き部３３の外側には、該切欠き部３３の形状に沿って、上記装着具１０をねじ止め固定するためのねじ穴３４を有する円筒状のねじ穴部３５が複数個所（図示例では３箇所）に突出形成されている。
【００４３】
また、上記取付具３の水平部３１には、上記切欠き部３３を上記ミストユニット２のボス部２２に嵌合させた際に、上記ボス部２２に設けられた凹凸部２３の凹状の溝に弾発係合する突起を備えた係合爪３６が設けられており、取付具３をミストユニット２に装着した時にこの係合爪３６と上記凹凸部２３とが係合し、ミストユニット２の位置決め手段を形成する。
【００４４】
上記装着具１０は、上記ミストユニット２のボス部２２の内周面に嵌合可能な形状、すなわち上記ボス部２２の内周面の内径より僅かに径（外径）の小さい環状の外周面を有する筒状突起部１１と、この筒状突起部１１の基端から外側に延設された延長部１２とを備えて構成される。そして、この延長部１２は、上記取付具３に設けられる上記ねじ穴部３５に対応して複数個所（図示例では３箇所）に突出形成されており、各延長部１２の先端には、それぞれ装着具１０を取付具３にねじ止め固定する際にねじ１００の軸を挿通するための切欠き部１３が形成されている。
【００４５】
しかして、取付具３をミストユニット２に装着するにあたっては，まず始めに、取付具３の切欠き部３３の切欠内周面がミストユニット２のボス部２２の外周面に沿うように取付具３をミストユニット２に当接させる。その際、上記取付具３の係合爪３６をミストユニット２のボス部２２に設けられた凹凸部２３の凹部に弾発係合させる。
【００４６】
そして、この状態で、上記装着具１０の筒状突起部１１を上記ボス部２２の内周面に挿入するとともに、延長部１２の切欠き部１３と取付具３側のねじ穴部３５の位置を合わせ、切欠き部１３に沿ってねじ１００をねじ穴３４に締め込んで、装着具１０と取付具３とをとも締め固定する。
【００４７】
この作業をミストユニット２の上下両端で行うことにより、ミストユニット２は上下一組の取付具３によって回転自在に保持される。なお、ミストユニット２の下端側に装着される装着具１０には下部ケース２１ｂに連通する貫通穴（図示せず）が設けられており、この貫通穴から上記ノズル配管６の接続口６１がミストユニット２の外部に出るように構成されている。
【００４８】
次に、ミストユニット２の回転範囲を規制する回転範囲規制手段について説明する。本実施形態に示すミスト発生装置１における回転範囲規制手段は、ミストユニット２と供廻りする突起部と、この突起部と当接することによりミストユニット２の回転を規制する回転規制部とで構成される。
【００４９】
具体的には、本実施形態では上記突起部として、上記ミストユニット２とは別体に構成され、上記ミストユニット２に着脱可能に装着されるストッパーピン１１０が用いられる。このストッパーピン１１０は、略円筒状の頭部１１０ａとねじ山を有する軸部１１０ｂとを備えたねじ状の部材であって、ミストユニット２の端面には、このストッパーピン１１０を装着するためのねじ穴２４が形成されている。
【００５０】
具体的には、このねじ穴２４は、上記ボス部２２の外側に環状に複数（図示例では５個）設けられる。換言すれば、このねじ穴２４は、ミストユニット２の回転軸と同心上に、所定間隔をおいて複数開設される。このように、ねじ穴２４を設けているのは、後述するように、ストッパーピン１１０を装着するねじ穴２４を変えることでミストユニット２の回転範囲を設定変更可能にするためである。
【００５１】
一方、回転規制部は、上記取付具３の水平部３１に設けられる。具体的には、上記略Ｕ字状の切欠き部３３の左右の外側に水平に張り出し形成された突出部３７が回転規制部として用いられる。より詳細には、この突出部３７は、ミストユニット２に装着されて該ミストユニット２と供廻りするストッパーピン１１０の回転軌跡上に、該ストッパーピンの移動を妨げるように形成されている。
【００５２】
しかして、このように構成されたミスト発生装置１の浴室内壁面Ｗへの取り付けは、化粧カバー３０を外した状態で、上下の取付具３の垂直部３２を浴室内壁面Ｗの所定位置（ミスト発生装置１の取り付け位置）に当接し、垂直部３２に設けられたねじ穴３８を通じて該垂直部３２を浴室内壁面Ｗにねじ止め固定し、化粧カバー３０を装着することにより行われる。
【００５３】
その際、下部ケース２１ｂの下端にあるノズル配管６の接続口６１と温水の供給源とを所定の配管で接続する。たとえば、図２に示すように、浴室内にある混合水栓Ｋを温水の供給源とする場合、混合水栓Ｋのカラン側の出湯口に手動止水栓付の分岐継手Ｑを取り付け、そこから分岐した配管Ｐを上記接続口６１に接続する。
【００５４】
また、この作業と並行して、ミスト発生装置１の取り付け位置の近傍に、ミスト発生装置１から噴射されるミストを浴びせると好ましくない機器があるか否かを確認し、上記回転範囲規制手段の設定を行う。
【００５５】
ここで、この設定操作について説明する。図６は、回転範囲規制手段の作用を説明する説明図である。図６(a)における符号ＡからＥはストッパーピン１１０の装着位置を示しており、図６(b)は、ストッパーピン１１０の装着位置ごとにおけるミストユニット２の回転範囲を示している。
【００５６】
すなわち、ストッパーピン１１０を符号Ａの位置にあるねじ穴２４に装着した場合、図６(b)に示すように、ミストユニット２は、正面から見て左に約１０度、右に約１７０度の範囲で回転（首振り）可能とされ、それ以上にミストユニット２を回転させようとしても、ストッパーピン１１０が回転規制部である突出部３７と当接し、それ以上の回転が規制される。
【００５７】
したがって、たとえば図６(a)に示すように、ミスト発生装置１の向かって右隣に給湯器のリモコンＲＣなどが設置されている場合、ストッパーピン１１０を符号Ｅや符号Ｄの位置に装着することで、ミストユニット２の右側への首振りが制限され、リモコンＲＣにミストが吹き付けられるのを防止することができる。
【００５８】
このように、本発明のミスト発生装置１によれば、同装置１を浴室の内壁面Ｗに取り付ける際に、上記ストッパーピン１１０の装着位置を調節することで、ミストユニット２の回転範囲を自由に設定でき、ミストを浴びせるのが好ましくない機器にミストが吹き付けられるのを防止できる。また、ストッパーピン１１０は着脱可能にミストユニット２に装着されているので、装置設置後においても化粧カバー３０を取り外してストッパーピン１１０を他のねじ穴２４に移設することで、容易に回転範囲の設定を変更することができる。
【００５９】
さらに、本実施形態に示すミスト発生装置１は、ミストユニット２のケース２１が、上部ケース２１ａと下部ケース２１ｂとに分割構成され、しかも、これらが連結部９を介して相対回転可能に連結されているので、上部ケース２１ａ側と下部ケース２１ｂ側とでミスト噴射方向を異ならせることが可能である。しかも、上記回転範囲規制手段がミストユニット２の上下に設けられることで、上部ケース２１ａと下部ケース２１ｂとについてそれぞれ独自に回転範囲を設定することができる。
【００６０】
なお、このように上部ケース２１ａと下部ケース２１ｂとを相対回転可能に構成したことに伴って、本装置１の施工前（上記回転範囲規制手段の設定前）において上部ケース２１ａと下部ケース２１ｂとが自由回転することにより、ミストユニット２の内部に設けられた電装線が捩れにより断線など破損するおそれがあるので、本実施形態に示すミスト発生装置１は、工場出荷時に上部ケース２１ａと下部ケース２１ｂの連結部９に相対回転を禁止する回転禁止手段が取り外し可能に装着される。具体的には、上記連結部９にスペーサを噛ませたり、上部ケース２１ａと下部ケース２１ｂとに粘着テープを張り渡したりしてケース２１ａと２１ｂとの相対回転が規制される。
【００６１】
なお、上述した実施形態はあくまでも本発明の好適な実施態様を示すものであって、本発明はこれらに限定されることなくその範囲内で種々の設計変更が可能である。
【００６２】
たとえば、上述した実施形態では、ストッパーピン１１０を１本のみ用いた場合を示したが、ストッパーピン１１０を２本用いて左右それぞれの回転範囲を制限することも可能である。
【００６３】
また、上述した実施形態では、回転範囲規制手段をミストユニット２と取付具３の装着部分にのみ設けた場合を示したが、上部ケース２１ａと下部ケース２１ｂの連結部９に上述したような構成の回転範囲規制手段を設けて、上部ケース２１ａと下部ケース２１ｂの相対回転の回転範囲を規制することも可能である。
【００６４】
さらに、上述した実施形態では、上部ケース２１ａおよび下部ケース２１ｂの上段に設けられたミスト噴射ノズル５に可動式のノズルを採用し、その他は固定式のノズルを採用したが、ミスト噴射ノズル５に可動式、固定式のいずれのノズルを採用するかは適宜設計変更可能である。
【００６５】
また、上述した実施形態では、取付具３をミストユニット２の上下両端に設けた場合を示したが、たとえばミストユニット２の上端にのみ取付具３を装着し、下端は浴室内壁の突出部分（たとえば、混合水栓などを設置するために突出した部分）に載置するようにして、ミストユニット２を回転自在に支持するようにすることも可能である。つまり、取付具３は、ミストユニット２を回転自在に支持しつつ壁面に取り付ける構成であれば、ミストユニット２の上下両端だけでなく、少なくとも上下いずれかの一端に設けられていればよい。
【図面の簡単な説明】
【００６６】
【図１】本発明に係るミスト発生装置の外観を示す斜視図である。
【図２】同ミスト発生装置の内部構造の概要を示す説明図である。
【図３】同ミスト発生装置におけるミストユニットへの取付具の装着構造を示す分解斜視図である。
【図４】同ミスト発生装置においてミストユニットに取付具を装着した状態を示す斜視図である。
【図５】同ミスト発生装置において取付具の装着部分に化粧パネルを取り付けた状態を示す斜視図である。
【図６】同ミスト発生装置における回転範囲規制手段の作用を説明する説明図であり、図６(a)はストッパーピンの装着位置を示し、図６(b)は、ストッパーピンの装着位置ごとにおけるミストユニットの回転範囲を示している。
【図７】従来のミスト発生装置のミスト噴霧範囲を説明する説明図である。
【００６７】
１          ミスト発生装置
２          ミストユニット
２１ａ      上部ケース（上部の可動ユニット）
２１ｂ      下部ケース（下部の可動ユニット）
３          取付具
３０        化粧カバー
３７        突出部（回転規制部）
４          操作部
５          ミスト噴射ノズル
６          ノズル配管
７          電磁弁
８          制御部
９          連結部
１０        装着具
１１０      ストッパーピン（突起部）
Ｗ          浴室の内壁面Ｗ、
Ｋ          混合水栓
【図１】
2007225185.tif 000003
【図２】
2007225185.tif 000004
【図３】
2007225185.tif 000005
【図４】
2007225185.tif 000006
【図５】
2007225185.tif 000007
【図６】
2007225185.tif 000008
【図７】
2007225185.tif 000009